【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
プレイリスト内の異なるフレームレートを有するデジタルシネマ作品について、前記デジタルシネマ作品の上映中に音声情報を対応する画像情報と同期させるための方法であって、
前記プレイリスト内のデジタルシネマ作品の対応する画像情報について、前記デジタルシネマ作品のフレームレートに従って、関連するオーディオレイテンシ設定を構築するステップと、
対応するデジタルシネマ作品のフレームレートについての前記関連するオーディオレイテンシ設定に従って、前記デジタルシネマ作品の上映中に、前記音声情報と前記画像情報との間のタイミングを調整するステップと、
を含む、前記方法。
【請求項２】
前記音声情報と前記画像情報との間の前記タイミングを調整して、対応する音声要素と画像要素との間に、所与のデジタルシネマ作品のフレームレートで、ほぼゼロの差分レイテンシを達成する、請求項１に記載の方法。
【請求項３】
前記オーディオレイテンシ設定が、１秒当たり２４フレーム、１秒当たり４８フレーム、および、１秒当たり６０フレームの、デジタルシネマ作品のフレームレートについて構築される、請求項１に記載の方法。
【請求項４】
前記オーディオレイテンシ設定が、前記画像情報および音声情報の受信の実験的な測定を通じて構築される、請求項１に記載の方法。
【請求項５】
前記オーディオレイテンシ設定が、デジタルシネマシステムの仕様に従って計算される、請求項１に記載の方法。
【請求項６】
前記音声情報と画像情報との間の前記タイミングを調整して、画像要素が音声要素に先行している場合に、前記画像情報内の画像要素の提示を遅延させる、請求項１に記載の方法。
【請求項７】
前記音声情報と画像情報との間の前記タイミングを調整して、音声要素が画像要素に先行している場合に、前記音声情報内の音声要素の提示を遅延させる、請求項１に記載の方法。
【請求項８】
第２のフレームレートで第２のデジタルシネマ作品を上映する前に、第１のフレームレートで上映される第１のデジタルシネマ作品の音声要素の間および画像要素の間に、ギャップまたはフィラーの一方を挿入するステップをさらに含む、請求項１に記載の方法。
【請求項９】
前記音声要素のためのギャップが無音を含む、請求項８に記載の方法。
【請求項１０】
前記画像要素の間のフィラーが、ブランクフレームまたは黒フレームの一方を含む、請求項８に記載の方法。
【請求項１１】
プレイリスト内のデジタルシネマ作品を提示するためのデジタルシネマシステムにおいて、前記デジタルシネマ作品のフレームレートに関わりなく、デジタルシネマ作品ごとに画像情報と音声情報とを略同期させるための装置であって、
前記フレームレートで受け取られるデジタルシネマ作品をレンダリングするためのデジタルシネマメディアブロックを備え、前記デジタルシネマメディアブロックが、（ａ）前記プレイリスト内の前記デジタルシネマ作品の対応する前記画像情報について、前記デジタルシネマ作品のフレームレートに従って、関連するオーディオレイテンシ設定を構築し、かつ、（ｂ）対応する前記デジタルシネマ作品のフレームレートについての前記関連するオーディオレイテンシ設定に従って、前記デジタルシネマ作品の上映中に、前記音声情報と前記画像情報との間のタイミングを調整する、前記装置。
【請求項１２】
前記デジタルシネマメディアブロックは、前記音声情報と前記画像情報との間の前記タイミングを調整して、対応する音声要素と画像要素との間に、所与のデジタルシネマ作品のフレームレートで、ほぼゼロの差分レイテンシを達成する、請求項１１に記載の装置。
【請求項１３】
前記デジタルシネマメディアブロックは、前記オーディオレイテンシ設定を、１秒当たり２４フレーム、１秒当たり４８フレーム、および、１秒当たり６０フレームの、デジタルシネマ作品のフレームレートについて構築する、請求項１１に記載の装置。
【請求項１４】
デジタルシネマメディアブロックは、前記オーディオレイテンシ設定を、デジタルシネマシステムの仕様に従って計算する、請求項１１に記載の装置。
【請求項１５】
デジタルシネマメディアブロックは、前記音声情報と画像情報との間のタイミングを調整して、画像要素が音声要素に先行している場合に、前記画像情報内の画像要素の提示を遅延させる、請求項１１に記載の装置。
【請求項１６】
デジタルシネマメディアブロックは、前記音声情報と画像情報との間のタイミングを調整して、音声要素が画像要素に先行している場合に、前記音声情報内の音声要素の提示を遅延させる、請求項１１に記載の装置。
【請求項１７】
デジタルシネマメディアブロックは、第２のフレームレートで第２のデジタルシネマ作品を上映する前に、第１のフレームレートで上映される第１のデジタルシネマ作品の音声要素の間および画像要素の間に、ギャップまたはフィラーの一方を挿入する、請求項１１に記載の装置。
【請求項１８】
前記音声要素のためのギャップが無音を含む、請求項１７に記載の装置。
【請求項１９】
前記画像要素の間のフィラーが、ブランクフレームまたは黒フレームの一方を含む、請求項１７に記載の装置。
【手続補正２】
【補正対象書類名】明細書
【補正対象項目名】００７０
【補正方法】変更
【補正の内容】
【００７０】
上記では、異なるフレームレートのデジタルシネマ作品について画像（ビデオ）と音声（オーディオ）を同期させるための方法および装置について説明した。
本発明は以下の態様を含む。
（付記１）
デジタルシネマ作品の上映中に、プレイリスト内の異なるフレームレートを有するデジタルシネマ作品の音声情報を対応する画像情報と同期させるための方法であって、
前記プレイリスト内のデジタルシネマ作品の対応する画像情報について、前記デジタルシネマ作品のフレームレートに従って、関連するオーディオレイテンシ設定を構築するステップと、
対応するデジタルシネマ作品のフレームレートについての前記関連するオーディオレイテンシ設定に従って、前記デジタルシネマ作品の上映中に、前記音声情報と前記画像情報との間のタイミングを調整するステップと、
を含む、前記方法。
（付記２）
前記音声情報と画像情報との間のタイミングを調整して、対応する音声要素と画像要素との間に、所与のデジタルシネマ作品のフレームレートで、ほぼゼロの差分レイテンシを達成する、付記１に記載の方法。
（付記３）
前記オーディオレイテンシ設定が、１秒当たり２４フレーム、１秒当たり４８フレーム、および、１秒当たり６０フレームの、デジタルシネマ作品のフレームレートについて構築される、付記１に記載の方法。
（付記４）
前記オーディオレイテンシ設定が、前記画像情報および音声情報の受信の実験的な測定を通じて構築される、付記１に記載の方法。
（付記５）
前記オーディオレイテンシ設定が、デジタルシネマシステムの仕様に従って計算される、付記１に記載の方法。
（付記６）
前記音声情報と画像情報との間のタイミングを調整して、画像要素が音声要素に先行している場合に、前記画像情報の画像要素の提示を遅延させる、付記１に記載の方法。
（付記７）
前記音声情報と画像情報との間のタイミングを調整して、音声要素が画像要素に先行している場合に、前記音声情報画像内の音声要素の提示を遅延させる、付記１に記載の方法。
（付記８）
第２のフレームレートで第２のデジタルシネマ作品を上映する前に、第１のフレームレートで上映される第１のデジタルシネマ作品の前記音声要素の間および前記画像要素の間に、ギャップまたはフィラーの一方を挿入するステップをさらに含む、付記１に記載の方法。
（付記９）
前記音声要素のためのギャップが無音を含む、付記８に記載の方法。
（付記１０）
画像要素の間のフィラーが、ブランクフレームまたは黒フレームの一方を含む、付記８に記載の方法。
（付記１１）
プレイリスト内のデジタルシネマ作品を提示するためのデジタルシネマシステムにおいて、デジタルシネマ作品のフレームレートに関わりなく、デジタル作品ごとに画像情報と音声情報とを略同期させるための装置であって、
それぞれのフレームレートで受け取られるデジタルシネマ作品をレンダリングするためのデジタルシネマデジタルシネマメディアブロックを備え、前記デジタルシネマメディアブロックが、（ａ）前記プレイリスト内のデジタルシネマ作品の対応する画像情報について、前記デジタルシネマ作品のフレームレートに従って、関連するオーディオレイテンシ設定を構築し、かつ、（ｂ）対応するデジタルシネマ作品のフレームレートについての前記関連するオーディオレイテンシ設定に従って、前記デジタルシネマ作品の上映中に、前記音声情報と前記画像情報との間のタイミングを調整する、前記装置。
（付記１２）
前記デジタルシネマメディアブロックは、前記音声情報と前記画像情報との間のタイミングを調整して、対応する音声要素と画像要素との間に、所与のデジタルシネマ作品のフレームレートで、ほぼゼロの差分レイテンシを達成する、付記１１に記載の装置。
（付記１３）
前記デジタルシネマメディアブロックは、前記オーディオレイテンシ設定を、１秒当たり２４フレーム、１秒当たり４８フレーム、および、１秒当たり６０フレームの、デジタルシネマ作品のフレームレートについて構築する、付記１１に記載の装置。
（付記１４）
デジタルシネマメディアブロックは、前記オーディオレイテンシ設定を、デジタルシネマシステムの仕様に従って計算する、付記１１に記載の装置。
（付記１５）
デジタルシネマメディアブロックは、前記音声情報と画像情報との間のタイミングを調整して、画像要素が音声要素に先行している場合に、前記画像情報の画像要素の提示を遅延させる、付記１１に記載の装置。
（付記１６）
デジタルシネマメディアブロックは、前記音声情報と画像情報との間のタイミングを調整して、音声要素が画像要素に先行している場合に、前記音声情報画像内の音声要素の提示を遅延させる、付記１１に記載の装置。
（付記１７）
デジタルシネマメディアブロックは、第２のフレームレートで第２のデジタルシネマ作品を上映する前に、第１のフレームレートで上映される第１のデジタルシネマ作品の前記音声要素の間および前記画像要素の間に、ギャップまたはフィラーの一方を挿入する、付記１１に記載の装置。
（付記１８）
前記音声要素のためのギャップが無音を含む、付記１７に記載の装置。
（付記１９）
画像要素の間のフィラーが、ブランクフレームまたは黒フレームの一方を含む、付記１７に記載の装置。
【手続補正３】
【補正対象書類名】図面
【補正対象項目名】図１Ｂ
【補正方法】変更
【補正の内容】
【図１Ｂ】
2015529059.tif 000001
【手続補正４】
【補正対象書類名】図面
【補正対象項目名】図２
【補正方法】変更
【補正の内容】
【図２】
2015529059.tif 000002
【手続補正５】
【補正対象書類名】図面
【補正対象項目名】図３
【補正方法】変更
【補正の内容】
【図３】
2015529059.tif 000003
【手続補正６】
【補正対象書類名】図面
【補正対象項目名】図４
【補正方法】変更
【補正の内容】
【図４】
2015529059.tif 000004
【手続補正７】
【補正対象書類名】図面
【補正対象項目名】図５
【補正方法】変更
【補正の内容】
【図５】
2015529059.tif 000005